(57)【特許請求の範囲】
【請求項１】
画素電極であって、
１つのサブ画素を複数の第１ドメインに分割する幹部と、
それぞれの前記第１ドメインにおいて前記幹部から異なる方向に沿って延びる複数の画素電極枝部であって、１つの前記第１ドメイン内の複数の画素電極枝部が互いに平行して互いに離間しており、隣接する２つの前記第１ドメイン内の画素電極枝部の延びる方向が異なる複数の画素電極枝部と、
全ての画素電極枝部の端部及び前記幹部と連結される第１閉鎖フレームと、
前記第１閉鎖フレームの外周側に、前記第１閉鎖フレームから離間して設けられ、前記第１閉鎖フレームから外周に向かって延びた前記幹部に連結された少なくとも１つの第２閉鎖フレームと、を含み、
前記第１閉鎖フレームと前記第２閉鎖フレームとは、形状が同じで互いに離間し、前記第１閉鎖フレームと最も外側の前記第２閉鎖フレームとの間に、前記第２閉鎖フレームの形状に沿って複数の第２ドメインが形成されている画素電極。
【請求項２】
前記幹部は、１つのサブ画素を４つの前記第１ドメインと４つの前記第２ドメインに分割する「十」字状をなしている請求項１に記載の画素電極。
【請求項３】
各前記第１ドメイン内の画素電極枝部は、それぞれ水平方向に対して４５°、１３５°、−１３５°、及び−４５°の角度をなす方向に沿って延びている請求項２に記載の画素電極。
【請求項４】
前記第１閉鎖フレームと前記第２閉鎖フレームとは、形状が共に矩形であり、「回」字状構造を構成している請求項１に記載の画素電極。
【請求項５】
前記画素電極の材料がＩＴＯである請求項１に記載の画素電極。
【請求項６】
上基板と、前記上基板に対向して設けられた下基板と、前記上基板の前記下基板に面する側に設けられた共通電極と、前記下基板の前記上基板に面する側に設けられた画素電極と、前記共通電極と画素電極との間に挟まれた液晶層と、を含む液晶表示パネルであって、
前記画素電極は、
１つのサブ画素を複数の第１ドメインに分割する幹部と、
それぞれの前記第１ドメインにおいて前記幹部から異なる方向に沿って延びる複数の画素電極枝部であって、１つの前記第１ドメイン内の複数の画素電極枝部が互いに平行して互いに離間しており、隣接する２つの前記第１ドメイン内の画素電極枝部の延びる方向が異なる複数の画素電極枝部と、
全ての画素電極枝部の端部及び前記幹部と連結される第１閉鎖フレームと、
前記第１閉鎖フレームの外周側に、前記第１閉鎖フレームから離間して設けられ、前記第１閉鎖フレームから外周に向かって延びた前記幹部に連結された少なくとも１つの第２閉鎖フレームと、を含み、
前記第１閉鎖フレームと前記第２閉鎖フレームとは、形状が同じで互いに離間し、前記第１閉鎖フレームと最も外側の前記第２閉鎖フレームとの間に、前記第２閉鎖フレームの形状に沿って複数の第２ドメインが形成されている液晶表示パネル。
【請求項７】
前記幹部は、１つのサブ画素を４つの前記第１ドメインと４つの前記第２ドメインに分割する「十」字状をなしている請求項６に記載の液晶表示パネル。
【請求項８】
各前記第１ドメイン内の画素電極枝部は、それぞれ水平方向に対して４５°、１３５°、−１３５°、及び−４５°の角度をなす方向に沿って延びている請求項７に記載の液晶表示パネル。
【請求項９】
前記第１閉鎖フレームと前記第２閉鎖フレームとは、形状が共に矩形であり、「回」字状構造を構成している請求項６に記載の液晶表示パネル。
【請求項１０】
前記画素電極の材料がＩＴＯである請求項６に記載の液晶表示パネル。
【請求項１１】
画素電極であって、
１つのサブ画素を複数の第１ドメインに分割する幹部と、
それぞれの前記第１ドメインにおいて前記幹部から異なる方向に沿って延びる複数の画素電極枝部であって、１つの前記第１ドメイン内の複数の画素電極枝部が互いに平行して互いに離間しており、隣接する２つの前記第１ドメイン内の画素電極枝部の延びる方向が異なる複数の画素電極枝部と、
全ての画素電極枝部の端部及び前記幹部と連結される第１閉鎖フレームと、
前記第１閉鎖フレームの外周側に、前記第１閉鎖フレームから離間して設けられ、前記第１閉鎖フレームから外周に向かって延びた前記幹部に連結された少なくとも１つの第２閉鎖フレームと、を含み、
前記第１閉鎖フレームと前記第２閉鎖フレームとは、形状が同じで互いに離間し、前記第１閉鎖フレームと最も外側の前記第２閉鎖フレームとの間に、前記第２閉鎖フレームの形状に沿って複数の第２ドメインが形成されており、
前記幹部は、１つのサブ画素を４つの前記第１ドメインと４つの前記第２ドメインに分割する「十」字状をなし、
各前記第１ドメイン内の画素電極枝部は、それぞれ水平方向に対して４５°、１３５°、−１３５°、及び−４５°の角度をなす方向に沿って延びており、
前記第１閉鎖フレームと前記第２閉鎖フレームとは、形状が共に矩形であり、「回」字状構造を構成しており、
前記画素電極の材料がＩＴＯである画素電極。
【発明の詳細な説明】
【技術分野】
【０００１】
本発明は、表示技術分野に関し、特に画素電極及び液晶表示パネルに関する。
【背景技術】
【０００２】
アクティブ薄膜トランジスタ液晶表示パネル（Ｔｈｉｎ  Ｆｉｌｍ  Ｔｒａｎｓｉｓｔｏｒ−ＬＣＤ，ＴＦＴ−ＬＣＤ）は、近年急速に開発されて幅広く適用されている。現在市販の主流となっているＴＦＴ−ＬＣＤ表示パネルについては、ツイステッドネマチック（Ｔｗｉｓｔｅｄ  Ｎｅｍａｔｉｃ，ＴＮ）型又はスーパーツイステッドネマチック（Ｓｕｐｅｒ  Ｔｗｉｓｔｅｄ  Ｎｅｍａｔｉｃ，ＳＴＮ）型と、インプレーンスイッチング（Ｉｎ−Ｐｌａｎｅ  Ｓｗｉｔｃｈｉｎｇ，ＩＰＳ）型と、垂直配向（Ｖｅｒｔｉｃａｌ  Ａｌｉｇｎｍｅｎｔ，ＶＡ）型との３種類に分類されてもよい。ＶＡ型液晶表示パネルは、他の種類の液晶表示パネルに対してコントラストが極めて高く、液晶テレビなどの大型ディスプレイに多用されている。
【発明の概要】
【発明が解決しようとする課題】
【０００３】
図１に示すように、従来のＶＡ型液晶表示パネルは、上基板１０と、上基板１０に対向して設けられた下基板２０と、上基板１０と下基板２０との間に挟まれた液晶層５０と、下基板２０に設けられた画素電極７０と、上基板１０に設けられ画素電極７０に対向する共通電極８０とを含む。ＶＡ型液晶表示パネルは垂直配向型液晶を用いたため、液晶分子の複屈折率の差が大きく、広視野角でカラーシフト（Ｃｏｌｏｒ  Ｓｈｉｆｔ）の問題が生じてしまう。
【０００４】
ＶＡ型液晶表示パネルがより良好な広視野角特性を取得して、カラーシフトの問題を改善するために、１つのサブ画素を複数の領域に分割するとともに、各領域における液晶を電圧印加後に異なる方向に倒すことで、それぞれの方向から見た効果を平均化して揃えるマルチドメインＶＡ技術（ｍｕｌｔｉ−ｄｏｍａｉｎ  ＶＡ，ＭＶＡ）が一般的に採用されている。図１及び図２を合せて参照して、ＭＶＡ技術を実現する方法は、通常前記画素電極７０を「米」字状パターンに加工する一方で、共通電極８０が厚さの均一で連続して途切れのない平面電極である。具体的には、図２に示すように、２１０及び２２０はそれぞれ走査線及びデータ線であり、１つのサブ画素が４つのドメインに分割され、前記画素電極７０は、「十」字状幹部７０１と、水平方向に対して該「十」字状幹部７０１からそれぞれ４５°、１３５°、−１３５°、及び−４５°の方向に延びる複数のストライプ状画素電極枝部７０２とを含み、同方向に隣接する２つのストライプ状画素電極枝部７０２の間にスリットが形成されている。このような「米」字状パターンの画素電極７０によって生成される斜め電界は、異なるドメインにおける液晶分子を異なる方向に倒すように誘導し、カラーシフトを改善する役割を果たすことができる。
【０００５】
図３は、上記のような「米」字状パターンを有する画素電極７０を用いたサブ画素の光学発現性を示しており、画素電極７０の周辺のエッジが不揃いであるため、対応するフリンジ電界の方向が乱れ、サブ画素のエッジに位置する液晶分子の配向も乱れ、光の透過率に影響を与え、サブ画素のエッジ領域に暗い筋が発生し、表示品質が低下してしまう。
【０００６】
本発明の目的は、サブ画素周辺のエッジの暗い筋を消去して、液晶表示パネルの光学的透過率を向上させて、さらに液晶表示パネルの視野角を改善することができる画素電極を提供することにある。
【０００７】
本発明の他の目的は、内部のサブ画素周辺のエッジに暗い筋がなく、光学的透過率が高く、視野角がさらに改善された液晶表示パネルを提供することにある。
【課題を解決するための手段】
【０００８】
上記の目的を達成するために、本発明は、画素電極を提供しており、
１つのサブ画素を複数のドメインに分割する幹部と、
それぞれのドメインにおいて前記幹部から異なる方向に沿って延びる複数の画素電極枝部であって、１つのドメイン内の複数の画素電極枝部が互いに平行して互いに離間しており、隣接する２つのドメイン内の画素電極枝部の延びる方向が異なる複数の画素電極枝部と、
全ての画素電極枝部の端部及び幹部と連結される第１閉鎖フレームと、
前記第１閉鎖フレームの外周に嵌設されて幹部に連結された少なくとも１つの第２閉鎖フレームと、を含み、
前記第１閉鎖フレームと第２閉鎖フレームとは、形状が同じで互いに離間し、前記第１閉鎖フレームと第２閉鎖フレームとの間に新たなドメインが形成されている。
【０００９】
前記幹部は、１つのサブ画素を４つのドメインに分割する「十」字状をなしている。
各ドメイン内の画素電極枝部は、それぞれ水平方向に対して４５°、１３５°、−１３５°、及び−４５°の角度をなす方向に沿って延びている。
【００１０】
前記第１閉鎖フレームと第２閉鎖フレームとは、形状が共に矩形であり、「回」字状構造を構成している。
【００１１】
前記画素電極の材料がＩＴＯである。
【００１２】
本発明は、上基板と、前記上基板に対向して設けられた下基板と、前記上基板の前記下基板に面する側に設けられた共通電極と、前記下基板の前記上基板に面する側に設けられた画素電極と、前記共通電極と画素電極との間に挟まれた液晶層と、を含む液晶表示パネルをさらに提供しており、
前記画素電極は、
１つのサブ画素を複数のドメインに分割する幹部と、
それぞれのドメインにおいて前記幹部から異なる方向に沿って延びる複数の画素電極枝部であって、１つのドメイン内の複数の画素電極枝部が互いに平行して互いに離間しており、隣接する２つのドメイン内の画素電極枝部の延びる方向が異なる複数の画素電極枝部と、
全ての画素電極枝部の端部及び幹部と連結される第１閉鎖フレームと、
前記第１閉鎖フレームの外周に嵌設されて幹部に連結された少なくとも１つの第２閉鎖フレームと、を含み、
前記第１閉鎖フレームと第２閉鎖フレームとは、形状が同じで互いに離間し、前記第１閉鎖フレームと第２閉鎖フレームとの間に新たなドメインが形成されている。
【００１３】
前記幹部は、１つのサブ画素を４つのドメインに分割する「十」字状をなしている。
【００１４】
各ドメイン内の画素電極枝部は、それぞれ水平方向に対して４５°、１３５°、−１３５°、及び−４５°の角度をなす方向に沿って延びている。
【００１５】
前記第１閉鎖フレームと第２閉鎖フレームとは、形状が共に矩形であり、「回」字状構造を構成している。
【００１６】
画素電極の材料がＩＴＯである。
【００１７】
本発明は、画素電極をさらに提供しており、
１つのサブ画素を複数のドメインに分割する幹部と、
それぞれのドメインにおいて前記幹部から異なる方向に沿って延びる複数の画素電極枝部であって、１つのドメイン内の複数の画素電極枝部が互いに平行して互いに離間しており、隣接する２つのドメイン内の画素電極枝部の延びる方向が異なる複数の画素電極枝部と、
全ての画素電極枝部の端部及び幹部と連結される第１閉鎖フレームと、
前記第１閉鎖フレームの外周に嵌設されて幹部に連結された少なくとも１つの第２閉鎖フレームと、を含み、
前記第１閉鎖フレームと第２閉鎖フレームとは、形状が同じで互いに離間し、前記第１閉鎖フレームと第２閉鎖フレームとの間に新たなドメインが形成されており、
前記幹部は、１つのサブ画素を４つのドメインに分割する「十」字状をなし、
各ドメイン内の画素電極枝部は、それぞれ水平方向に対して４５°、１３５°、−１３５°、及び−４５°の角度をなす方向に沿って延びており、
前記第１閉鎖フレームと第２閉鎖フレームとは、形状が共に矩形であり、「回」字状構造を構成しており、
前記画素電極の材料がＩＴＯである。
【発明の効果】
【００１８】
本発明の有益な効果は以下の通りであり、本発明に係る画素電極には、全ての画素電極枝部の端部及び幹部と連結される第１閉鎖フレームと、前記第１閉鎖フレームの外周に嵌設されて幹部と連結される少なくとも１つの第２閉鎖フレームとが設けられ、前記第１閉鎖フレーム及び第２閉鎖フレームにより画素電極のフリンジ電界が揃えるようになることで、サブ画素のエッジに位置する液晶分子の配向が平均化して揃えて、サブ画素の周辺のエッジの暗い筋を消去して、液晶表示パネルの光学的透過率を向上させることができ、また、前記第１閉鎖フレームと第２閉鎖フレームとの間に新たなドメインが形成され、液晶表示パネルの中低階調での視野角をさらに改善することができる。本発明に係る液晶表示パネルは、上記の画素電極を含み、前記液晶表示パネルにおけるサブ画素周辺のエッジに暗い筋がなく、光学的透過率が高く、中低階調での視野角がさらに改善されている。
【図面の簡単な説明】
【００１９】
本発明の特徴及び技術的内容をより一層明らかにするために、以下の本発明に関する詳細な説明及び添付図面を参照するが、添付図面は、参照及び説明のためのものに過ぎず、本発明を限定するものではない。図面において、
【図１】図１は、従来のＶＡ型液晶表示パネルの模式的断面構造図。
【図２】図２は、図１における下基板側の平面模式図である。
【図３】図３は、従来の「米」字状パターンの画素電極を用いたサブ画素の光学発現性を示す図である。
【図４】図４は、本発明に係る画素電極の平面模式図である。
【図５】図５は、本発明の画素電極を用いたサブ画素の光学発現性を示す図である。
【図６】図６は、本発明に係る画素電極において第１閉鎖フレームと第２閉鎖フレームとの間に新たなドメインが形成された状態を示す図である。
【図７】図７は、本発明に係る画素電極を用いた液晶表示パネルが従来の画素電極を用いた液晶表示パネルよりも透過率が向上された対比グラフである。
【図８】図８は、本発明に係る液晶表示パネルの模式的断面構造図。
【図９】図９は、図８における下基板側の平面模式図である。
【発明を実施するための形態】
【００２０】
以下、本発明に用いられた技術的手段及びその効果をより明らかにするために、本発明の好ましい実施例及びその添付図面を参照して詳細に説明する。
【００２１】
図４を参照して、本発明は、幹部１１、複数の画素電極枝部１３、第１閉鎖フレーム１５、及び少なくとも１つの第２閉鎖フレーム１７を含む画素電極を提供する。
【００２２】
前記幹部１１は、１つのサブ画素を複数のドメインに分割する。通常、前記幹部１１は、１つのサブ画素を４つのドメインに分割する「十」字状をなしており、当然ながら、前記幹部１１は、１つのサブ画素をより多くのドメインに分割する他の形状をなしてもよい。
【００２３】
前記複数の画素電極枝部１３はそれぞれのドメインにおいて前記幹部１１から異なる方向に沿って延びており、１つのドメイン内の複数の画素電極枝部１３が互いに平行して互いに離間しており、隣接する２つのドメイン内の画素電極枝部１３の延びる方向が異なる。好ましくは、画素電極枝部１３が細幅状をなし、各ドメイン内の画素電極枝部１３がそれぞれ水平方向に対して４５°、１３５°、−１３５°、及び−４５°の角度をなす方向に沿って延びており、前記複数の画素電極枝部１３が幹部１１と合わせて「米」字状パターンをなしている。
【００２４】
前記第１閉鎖フレーム１５が、全ての画素電極枝部１３の端部（画素電極枝部１３の幹部１１から離れる端を端部とする）及び幹部１１と連結されている。
【００２５】
前記第２閉鎖フレーム１７が前記第１閉鎖フレーム１５の外周に嵌設されて幹部１１に連結される。
【００２６】
具体的には、前記第１閉鎖フレーム１５と第２閉鎖フレーム１７とは、形状が同じで互いに離間しており、好ましくは、前記第１閉鎖フレーム１５と第２閉鎖フレーム１７とは、形状が共に矩形であり、「回」字状構造を構成している。
【００２７】
具体的には、本発明の画素電極の材料が酸化インジウムスズ（Ｉｎｄｉｕｍ  Ｔｉｎ  Ｏｘｉｄｅ，ＩＴＯ）であることが好ましい。
【００２８】
前記第１閉鎖フレーム１５と第２閉鎖フレーム１７とは形状が揃え、画素電極の周辺のエッジが揃えていることで、画素電極のフリンジ電界が揃えるようになり、サブ画素のエッジに位置する液晶分子の配向を均一に揃えることができ、図５に示すようにサブ画素周辺のエッジの暗い筋を消去することができ、図７は、本発明の画素電極を用いた液晶表示パネルと従来の画素電極を用いた液晶表示パネルとのＶ−Ｔ対比グラフであり、横軸は電圧Ｖを示し、縦軸は透過率Ｔを示し、図７から、本発明の画素電極を用いた液晶表示パネルの透過率が向上していることが分かる。
【００２９】
さらに、図４及び図６に合せて参照して、前記第１閉鎖フレーム１５と第２閉鎖フレーム１７との間に新たなドメイン（図６において２つの破線ブロックで画定された領域）を形成することで、該新たなドメインにおける液晶分子が他のドメイン内の液晶分子とは異なる配向極角を形成することができることで、液晶表示パネルの中低階調における視野角をさらに改善することができる。
【００３０】
同一の発明構想に基づき、図８及び図９を同時に参照して、本発明は、上基板２と、前記上基板２に対向して設けられた下基板３と、前記上基板２の前記下基板３に面する側に設けられた共通電極４と、前記下基板３の前記上基板２に面する側に設けられた画素電極１と、前記共通電極４と画素電極１との間に挟まれた液晶層６と、を含む液晶表示パネルをさらに提供している。
【００３１】
前記画素電極１は、上記の図４に示す画素電極であり、サブ画素周辺のエッジの暗い筋を消去して、液晶表示パネルの透過率を向上させ、液晶表示パネルの中低階調での視野角を改善することができるが、ここでは前記画素電極１については繰り返して述べない。
具体的には、図９に示すように、前記下基板３には、水平方向に沿って延びるゲート線３１と、垂直方向に沿って延びるデータ線３２と、ＴＦＴ  Ｔとが設けられ、前記ＴＦＴ  Ｔは、ゲートがゲート線３１に接続され、ソースがデータ線３２に接続される。さらに、前記ゲート線３１が前記ＴＦＴ  Ｔのゲートとともに第１金属層に位置し、前記データ線３２、ＴＦＴ  Ｔのソース、及びＴＦＴ  Ｔのドレインが一緒に第２金属層に位置し、前記画素電極１がビアホールＶＨを介して前記ＴＦＴ  Ｔのドレインに接続されている。
【００３２】
要約すると、本発明に係る画素電極には、全ての画素電極枝部の端部及び幹部と連結される第１閉鎖フレームと、前記第１閉鎖フレームの外周に嵌設されて幹部と連結される少なくとも１つの第２閉鎖フレームとが設けられ、前記第１閉鎖フレーム及び第２閉鎖フレームにより画素電極のフリンジ電界が揃えるようになることで、サブ画素のエッジに位置する液晶分子の配向が平均化して揃えて、サブ画素の周辺のエッジの暗い筋を消去して、液晶表示パネルの光学的透過率を向上させることができ、また、前記第１閉鎖フレームと第２閉鎖フレームとの間に新たなドメインが形成され、液晶表示パネルの中低階調での視野角をさらに改善することができる。本発明に係る液晶表示パネルは、上記の画素電極を含み、前記液晶表示パネルにおけるサブ画素周辺のエッジに暗い筋がなく、光学的透過率が高く、中低階調での視野角がさらに改善されている。
【００３３】
上記の内容は、当業者にとっては、本発明の技術的手段及び技術的思想に基づいて他の様々な変更及び変形を行うことができるが、これらの変更及び変形も全て本発明の特許請求の保護範囲に属するものと理解されるべきである。
【図１】
0006959431.tif 000002
【図２】
0006959431.tif 000003
【図３】
0006959431.tif 000004
【図４】
0006959431.tif 000005
【図５】
0006959431.tif 000006
【図６】
0006959431.tif 000007
【図７】
0006959431.tif 000008
【図８】
0006959431.tif 000009
【図９】
0006959431.tif 000010